(57)【要約】【課題】  入浴用車椅子１１ごと水平移動で浴槽に入れる介護用浴槽において、現状では入浴に必要な湯量が多い。また、洗い場と介護用浴槽設置場所が別個な為、大きな浴室面積を必要とする。本発明の目的は、必要湯量を低減し浴室面積を小さくできる介護用浴槽を提供することにある。【解決手段】  浴槽を平面的に見て短辺方向を横、長辺方向を縦とする。まず長辺方向を横に切断し上下のパーツに２分割する。さらに下部のパーツを縦に切断する。上部のパーツを浴槽本体１とし、下部のパーツ２個を浴槽扉２とする。浴槽扉２は浴槽本体１と接続アーム７で接続し接続アーム軸８を起点に開閉させる。浴槽扉２には空気袋３を内包し浴槽扉２を閉鎖した後、空気袋３を膨らまし隙間を密閉することで介護用浴槽を完成させる。【選択図】図１
2018110824.tif 000002
【特許請求の範囲】
【請求項１】
入浴用車椅子１１ごと水平移動で浴槽に入れる介護用浴槽であって、浴槽を平面的に見て短辺方向を横、長辺方向を縦とする。まず長辺方向を横に切断し上下のパーツに２分割する。さらに下部のパーツを縦に切断する。上部のパーツを浴槽本体１とし、下部のパーツ２個を浴槽扉２とする。浴槽扉２は浴槽本体１と接続し開閉する介護用浴槽の浴槽扉２に空気袋３を内包する事を特徴とする介護用浴槽。
【発明の詳細な説明】
【技術分野】
【０００１】  本発明は介護用浴槽に関するものである。
【背景技術】
【０００２】  介護の現場では、独力で入浴出来ない要介護者の入浴介護で、入浴用車椅子１１に乗せた要介護者を洗って流した後、水平移動し入浴用車椅子１１ごと浴槽に入れる介護用浴槽において、現状では、浴槽内容積が大きく入浴に必要な湯量が多い。また、洗い場と浴槽設置場所が別個な為、無駄な浴室面積を必要とする。
【選考技術文献】
【特許文献】
【０００３】
【特許文献１】特許公開２０１６−１７１８５９
【特許文献２】特許公開２０１６−１１６５５４
【特許文献３】特許公開２０１５−１３０９５７
【特許文献４】特許公開２０１４−１８４１０５
【特許文献５】特許公開２００９−０５６１３８
【特許文献６】特許公開２００９−０００３３０
【特許文献７】特許公開２００８−０８６５７９
【特許文献８】特許公開２００７−１８１５９０
【特許文献９】特許公開２００５−３１２７３０
【特許文献１０】特許公開２００５−１８５４４０
【特許文献１１】特許公開２００５−０２１４１２
【発明の概要】
【発明が解決しようとする課題】
【０００４】  本発明はこのような点に鑑みて成されたものであり、その目的は、入浴介護において入浴用車椅子１１に乗せた要介護者を洗って流した後、水平移動し入浴用車椅子１１ごと浴槽に入れる介護用浴槽の必要湯量を低減し、洗い場と浴槽設置場所を一体化し浴室面積を小さくできる介護用浴槽を提供することにある。
【問題を解決する為の手段】
【０００５】  浴槽を平面的に見て短辺方向を横、長辺方向を縦とする。まず縦方向を横に切断し上下のパーツに２分割する。さらに下部のパーツを縦に切断する。上部のパーツを浴槽本体１とし下部のパーツ２個を浴槽扉２とする。浴槽扉２は浴槽本体１と接続アーム７で接続し接続アーム軸８を起点に開閉する。
【０００６】  浴槽扉２には空気袋３を内包する。浴槽扉２で入浴用車椅子軸足１２を挟み込み、閉鎖レバー６で操作取手５を固定した後、浴槽扉２に内包した空気袋３を膨らまし浴槽本体１及び浴槽扉３の隙間を密閉することで介護用浴槽を完成させる。
【発明の効果】
【０００７】  浴槽扉２を開放すれば、浴槽扉２の回転半径内の空間で介護者を洗う事が可能になる。洗い場と介護用浴槽設置場所が一体になり浴室面積を小さく出来る。
【０００８】  空気袋３は浴槽本体１及び浴槽扉２の隙間を密閉すると同時に、介護用浴槽内部にも膨れる為、必要湯量を低減する。
【発明を実施する為の最良の形態】
【０００９】  以下本発明の実施の形態を図面に基づき詳細に説明する。
【００１０】  図１は入浴用車椅子１１を浴槽本体１に前向きに押し込んだ後、左右の浴槽扉２で入浴用車椅子軸足１２を挟み込み、空気袋３を膨らまして介護用浴槽を完成させた浴槽使用中の外観斜視図である。
【００１１】  浴槽本体１には入浴用車椅子１１の高さに合わせるため浴槽本体軸足９を設置する。浴槽扉には浴槽扉キャスター１０を設置し開閉操作を楽にする。
【００１２】  浴槽本体軸足９、浴槽扉キャスター１０共、高さ調整可能とし浴室床の水勾配に対応する。
【００１３】  介護用浴槽の水位調節は水位調整管４で行う。水位調整管受口１３は浴槽本体１床面に設置し、介護用浴槽外部で水位調整管排出口１４の高さを上下する事により水位を調整する。水位調整管排出口１４の高さ以上に浴槽水が貯まる事はない。要介護者の肩口に水位調整官排出口１４の高さを合わせれば要介護者が水に溺れることは無い。
【００１４】  水位調整管排出口１４を浴槽本体１の床より下に下げれば浴槽水は順次排出可能である。浴槽扉２を開放すれば全ての浴槽水は瞬時に排出される。
【００１５】  図２は浴槽扉２開放時の外観斜視図。浴槽扉２の回転半径内で介護者を洗う事が可能であり、洗い場と介護用浴槽の設置場所が一体になる。
【００１６】  浴槽扉２には空気袋３を内包する。空気袋３は浴槽本体１及び浴槽扉２の隙間を密閉すると同時に入浴用車椅子１１の側面にぶつかるまで内部にも膨れるので必要湯量を削減する。
【００１７】  浴槽扉２には操作取手５を設置し浴槽扉２の開閉操作を楽にする。閉鎖レバー６で操作取手５を固定して空気袋３の空気圧及び水圧に対抗する。閉鎖レバー６を閉める時、空気袋は膨らんでないので閉鎖作業に於いて特に強い力は要らない。
【００１８】  図３は浴槽扉２の可動域を示した平面図。空気袋３は膨れてない。浴槽扉２の閉鎖時及び開放時の浴槽扉２の位置を示す。浴槽扉２は浴槽本体１と接続アーム７で接続し接続アーム軸８を起点に開閉する。
【００１９】  図４は入浴中の縦断面図。空気袋３は入浴用車椅子１１の背面にぶつかるまで内側にも膨らむので必要湯量を低減できる。
【００２０】  入浴用車椅子軸足１２は浴槽扉２で挟み込む関係上、１本足とし浴槽扉２に内包した空気袋３での挟み込みを容易にする。
【実施例】
【００２１】  以上本発明の実施の形態及び実施例を説明したが、本発明の範囲はこれに限定されるものではない。【００２２】  浴槽本体１及び浴槽扉２は全て空気袋でもよい。【００２３】  入浴用車椅子軸足１２の数はこの限りではない。【００２４】  入浴用車椅子１１の進行方向はこの限りではない。【００２５】  浴槽は横に２分割せず、縦に切断しただけで２個の浴槽扉２とし浴槽本体１なしでも良い。【００２６】  貯湯槽を併設し給湯時間を短縮しても良い。【００２７】  浴槽本体軸足は９キャスター付きでもよい。【００２８】  浴槽本体１と浴槽扉２を接続する接続アーム７の形状はこの限りではない。
【図面の簡単な説明】
【００２９】
【図１】  本発明の介護用浴槽使用時の外観斜視図である。
【図２】  本発明の浴槽扉２開放時の外観斜視図である。
【図３】  本発明の浴槽扉２の可動域を示す平面図である。
【図４】  本発明の介護用浴槽使用時の縦断面図である。
【符号の説明】
【００３０】１浴槽本体
２浴槽扉
３空気袋
４水位調整管
５操作取手
６閉鎖レバー
７接続アーム
８接続アーム軸
９浴槽本体軸足
１０浴槽扉キャスター
１１入浴用車椅子
１２入浴用車椅子軸足
１３水位調整官受口
１４水位調整官排出口
【図１】
2018110824.tif 000003
【図２】
2018110824.tif 000004
【図３】
2018110824.tif 000005
【図４】
2018110824.tif 000006